【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
信号光を被検査物に導く光路に設けられ、該信号光を主走査方向に走査する走査手段と、
前記被検査物の所定領域における１画素あたりの信号の積分時間を前記所定領域以外の領域よりも増大させるように、前記走査手段を制御する制御手段と、
を有することを特徴とする撮像装置。
【請求項２】
前記制御手段は、前記被検査物の所定領域における前記主走査方向の走査速度を該所定領域以外の領域における該主走査方向の走査速度よりも遅くするように、前記走査手段を制御することを特徴とする請求項１に記載の撮像装置。
【請求項３】
信号光を照射した被検査物からの戻り光に基づいて、該被検査物の画像を取得する撮像装置であって、
前記信号光を前記被検査物で走査する走査手段と、
前記被査物の所定領域における該走査手段の主走査方向の走査速度を前記所定領域以外の領域における該主走査方向の走査速度よりも遅くするように、前記走査手段を制御する制御手段と、
を有することを特徴とする撮像装置。
【請求項４】
前記被検査物は、被検眼の眼底であり、
前記所定領域として前記眼底の黄斑と視神経乳頭とのうち少なくとも一つの部位を指定する部位指定手段を有し、
前記制御手段は、前記指定された部位で前記主走査速度を遅くするように、前記走査手段を制御することを特徴とする請求項１乃至３のいずれか１項に記載の撮像装置。
【請求項５】
前記眼底の画像を表示手段に表示させる表示制御手段を有し、
前記部位指定手段は、前記眼底の画像上で指定し、
前記表示制御手段は、前記部位指定手段による指定に応じて、前記走査手段の走査領域を示す表示形態を前記眼底の画像に対応した状態で前記表示手段に表示させることを特徴とする請求項４に記載の撮像装置。
【請求項６】
前記信号光に対応する参照光と前記戻り光とを合波した光に基づいて、前記被検査物の断層画像を取得する断層画像取得手段を有することを特徴とする請求項１乃至５のいずれか１項に記載の撮像装置。
【請求項７】
前記信号光の光路長と前記参照光の光路長との差を変更する光路長差変更手段を有し、
前記被検査物である被検眼の眼底の黄斑と視神経乳頭とのそれぞれの前記断層画像を取得する際に前記光路長差を変更した場合、
前記断層画像取得手段が、前記光路長差の変更に対応する深さ方向の位置ずれを補正して、前記断層画像を繋ぎ合わせた画像を取得することを特徴とする請求項６に記載の撮像装置。
【請求項８】
前記信号光の光路における前記参照光の光路に対応する位置に基づいて、鏡像を除去する除去手段を有することを特徴とする請求項６あるいは７に記載の撮像装置。
【請求項９】
前記走査手段は、前記信号光を複数の主走査線として走査し、
前記複数の主走査線が、互いの一部同士が前記主走査方向に重複した第一及び第二の走査線群によって構成されることを特徴とする請求項１乃至８のいずれか１項に記載の撮像装置。
【請求項１０】
複数の信号光を照射した被検査物からの複数の戻り光と、該複数の信号光にそれぞれ対応する複数の参照光とをそれぞれ合波した複数の光に基づいて、該被検査物の断層画像を取得する撮像装置であって、
前記複数の信号光を前記被検査物で走査する走査手段と、
前記被検査物における前記複数の信号光の走査領域のうち隣り合う走査領域の一部同士を前記被検査物の所定領域で重複させるように、前記走査手段を制御する制御手段と、
を有することを特徴とする撮像装置。
【請求項１１】
前記制御手段は、前記隣り合う走査領域の一部同士を前記所定領域で前記走査手段の主走査方向に重複させるように、前記走査手段を制御することを特徴とする請求項１０に記載の撮像装置。
【請求項１２】
前記走査領域に基づいて、前記複数の光それぞれに対応する複数の断層画像を繋ぎ合わせた画像を取得する画像取得手段を有することを特徴とする請求項１０あるいは１１に記載の撮像装置。
【請求項１３】
前記被検査物は、被検眼の眼底であり、
前記所定領域として前記眼底の黄斑と視神経乳頭とのうち少なくとも一つの部位を指定する部位指定手段を有し、
前記制御手段は、前記隣り合う走査領域の一部同士を前記指定された部位で重複させるように、前記走査手段を制御することを特徴とする請求項１０乃至１２のいずれか１項に記載の撮像装置。
【請求項１４】
前記所定領域は、前記被検査物における前記走査手段の主走査方向の両端部以外の少なくとも１つの領域であることを特徴とする請求項１乃至１３のいずれか１項に記載の撮像装置。
【請求項１５】
前記制御手段は、前記所定領域と該所定領域以外の領域とのうち少なくとも一つに付加された重み付け情報に基づいて、前記走査手段を制御することを特徴とする請求項１乃至１４のいずれか１項に記載の撮像装置。
【請求項１６】
被検眼の眼底画像を表示手段に表示させる表示制御手段と、
前記被検眼の眼底の黄斑と視神経乳頭とのうち少なくとも一つの部位を前記眼底画像上で指定する部位指定手段と、を有し、
前記表示制御手段は、前記指定した部位の位置を示す表示形態を前記眼底画像に対応させた状態で表示手段に表示させることを特徴とする撮像装置。
【請求項１７】
信号光を照射した被検査物からの戻り光に基づいて、前記被検査物の画像を取得する撮像方法であって、
前記被検査物の所定領域における１画素あたりの信号の積分時間を該所定領域以外の領域よりも増大させるように、前記信号光を主走査方向に走査する走査手段を制御する工程を有することを特徴とする撮像方法。
【請求項１８】
前記制御する工程では、前記被検査物の所定領域における前記主走査方向の走査速度を該所定領域以外の領域における該主走査方向の走査速度よりも遅くするように、前記走査手段を制御することを特徴とする請求項１７に記載の撮像方法。
【請求項１９】
信号光を照射した被検査物からの戻り光に基づいて、該被検査物の画像を取得する撮像方法であって、
前記信号光を前記被検査物で走査する走査手段の走査速度について、前記被検査物の所定領域で前記所定領域以外の領域よりも遅くするように、該走査手段を制御する工程を有することを特徴とする撮像方法。
【請求項２０】
複数の信号光を照射した被検査物からの複数の戻り光と、該複数の信号光にそれぞれ対応する複数の参照光とをそれぞれ合波した複数の光に基づいて、該被検査物の断層画像を取得する撮像方法であって、
前記被検査物における前記複数の信号光の走査領域のうち隣り合う走査領域の一部同士を前記被検査物の所定領域で重複させるように、前記複数の信号光を前記被検査物で走査する走査手段を制御する工程を有することを特徴とする撮像方法。
【請求項２１】
請求項１７乃至２０のいずれか１項に記載の撮像方法の各工程をコンピュータに実行させることを特徴とするプログラム。
【手続補正２】
【補正対象書類名】明細書
【補正対象項目名】００１２
【補正方法】変更
【補正の内容】
【００１２】
本発明に係る撮像装置は、
信号光を被検査物に導く光路に設けられ、該信号光を主走査方向に走査する走査手段と、
前記被検査物の所定位置における１画像あたりの信号の積分時間を前記所定領域以外の領域よりも増大させるように、前記走査手段を制御する制御手段と、
を有することを特徴とする。
【手続補正３】
【補正対象書類名】明細書
【補正対象項目名】００１３
【補正方法】変更
【補正の内容】
【００１３】
また、別の本発明に係る撮像装置は、
信号光を照射した被検査物からの戻り光に基づいて、該被検査物の画像を取得する撮像装置であって、
前記信号光を前記被検査物で走査する走査手段と、
前記被検査物の所定領域における該走査手段の主走査方向の走査速度を前記所定領域以外の領域における該主走査方向の走査速度よりも遅くするように、前記走査手段を制御する制御手段と、
を有することを特徴とする。
【手続補正４】
【補正対象書類名】明細書
【補正対象項目名】００１４
【補正方法】変更
【補正の内容】
【００１４】
また、本発明に係る撮像方法は、
信号光を照射した被検査物からの戻り光に基づいて、前記被検査物の画像を取得する撮像方法であって、
前記被検査物の所定領域における１画像あたりの信号の積分時間を該所定領域以外の領域よりも増大させるように、前記信号光を主走査方向に走査する走査手段を制御する工程を有することを特徴とする。
また、別の本発明に係る撮像方法は、
信号光を照射した被検査物からの戻り光に基づいて、該被検査物の画像を取得する撮像方法であって、
前記信号光を前記被検査物で走査する走査手段の走査速度について、前記被検査物の所定領域で前記所定領域以外の領域よりも遅くするように、該走査手段を制御する工程を有することを特徴とする。